(57)【要約】  本発明は、電子機器のハンドル１０と筺体１１との取付構造に関する。  ハンドル１０は、脚部１０ｂの端部に設けられた突出部２０と、突出部に設けられた係止溝２１を有する。ハンドルの脚部１０ｂは、ガイド部３０に案内される。ハンドル１０が筺体１１から引き出された位置では、脚部１０ｂの突出部２０が、ガイド部３０のツメ部３４の突起３５に当接し、係止溝２１が第１の係止片３１の係止突起３３に当接する。ハンドル１０が筺体１１内に収納された位置では、係止溝２１が第１の係止片３１より下にある第２の係止片に当接する。
2010137148.tif 000002
【特許請求の範囲】
【請求項１】
電子機器の筺体とハンドルとの取り付け構造であって、
前記ハンドルは、把持部と、前記把持部の両端から該把持部の長手方向と直交する方向に延びる一対の脚部と、前記脚部の端部にそれぞれ設けられた突出部と、それぞれの前記突出部に設けられた係止溝とを有し、
前記筺体は、該筺体の側面に設けられた、前記ハンドルの前記脚部を挿入可能な開口部と、該筺体の内部に設けられた、前記開口部から挿入された前記脚部をスライド可能に保持するガイド部とを有し、
前記ハンドルの前記脚部は、前記ガイド部に案内されて、前記筺体内に収納された第１の位置と、前記筺体から引き出された第２の位置との間でスライド可能であり、
前記ガイド部には、ツメ部、弾性変形可能な第１の係止片および弾性変形可能な第２の係止片が前記脚部のスライド方向に沿って一体成形され、
前記ツメ部は、前記ハンドルの前記脚部が前記第２の位置にあるときに前記突出部に係止する位置に形成され、
前記第１の係止片は、前記ハンドルの前記脚部が前記第２の位置にあるときに、前記ツメ部に係止している前記突出部の前記係止溝に係止する位置に形成され、
前記第２の係止片は、前記ハンドルの前記脚部が前記第１の位置にあるときに、前記突出部の前記係止溝に係止する位置に形成されている、
電子機器の筺体とハンドルとの取り付け構造。
【請求項２】
前記ガイド部は、前記ハンドルの前記脚部を挟む上板および下板と、前記上板および前記下板を連結する横板とを有し、
前記側板は、前記脚部の前記突出部が形成された面と対向し、
前記ツメ部、前記第１の係止片および前記第２の係止片は、前記横板に一体成形されている、
請求の範囲第１項に記載の電子機器の筺体とハンドルとの取り付け構造。
【請求項３】
前記第１の係止片および前記第２の係止片は、固定端と自由端とを有し、前記自由端に、前記突出部の前記係止溝に嵌合可能な係止突起が形成されている、
請求の範囲第１項または第２項に記載の電子機器の筺体とハンドルとの取り付け構造。
【請求項４】
前記ガイド部は、前記ハンドルの前記脚部が前記第２の位置にあるときに前記脚部の端面が当接する終端板を有する、
請求の範囲第１項乃至第３のいずれかに記載の電子機器の筺体とハンドルとの取り付け構造。
【請求項５】
筺体にハンドルがスライド可能に取り付けられた電子機器であって、
前記ハンドルは、把持部と、前記把持部の両端から該把持部の長手方向と直交する方向に延びる一対の脚部と、前記脚部の端部にそれぞれ設けられた突出部と、それぞれの前記突出部に設けられた係止溝とを有し、
前記筺体は、該筺体の側面に設けられた、前記ハンドルの前記脚部を挿入可能な開口部と、該筺体の内部に設けられた、前記開口部から挿入された前記脚部をスライド可能に保持するガイド部とを有し、
前記ハンドルの前記脚部は、前記ガイド部に案内されて、前記筺体内に収納された第１の位置と、前記筺体から引き出された第２の位置との間でスライド可能であり、
前記ガイド部には、ツメ部、弾性変形可能な第１の係止片および弾性変形可能な第２の係止片が前記脚部のスライド方向に沿って一体成形され、
前記ツメ部は、前記ハンドルの前記脚部が前記第２の位置にあるときに前記突出部に係止する位置に形成され、
前記第１の係止片は、前記ハンドルの前記脚部が前記第２の位置にあるときに、前記ツメ部に係止している前記突出部の前記係止溝に係止する位置に形成され、
前記第２の係止片は、前記ハンドルの前記脚部が前記第１の位置にあるときに、前記突出部の前記係止溝に係止する位置に形成されている、
電子機器。
【請求項６】
筺体にハンドルがスライド可能に取り付けられたプロジェクタであって、
前記ハンドルは、把持部と、前記把持部の両端から該把持部の長手方向と直交する方向に延びる一対の脚部と、前記脚部の端部にそれぞれ設けられた突出部と、それぞれの前記突出部に設けられた係止溝とを有し、
前記筺体は、該筺体の側面に設けられた、前記ハンドルの前記脚部を挿入可能な開口部と、該筺体の内部に設けられた、前記開口部から挿入された前記脚部をスライド可能に保持するガイド部とを有し、
前記ハンドルの前記脚部は、前記ガイド部に案内されて、前記筺体内に収納された第１の位置と、前記筺体から引き出された第１の位置との間でスライド可能であり、
前記ガイド部には、ツメ部、弾性変形可能な第１の係止片および弾性変形可能な第２の係止片が前記脚部のスライド方向に沿って一体成形され、
前記ツメ部は、前記ハンドルの前記脚部が前記第２の位置にあるときに前記突出部に係止する位置に形成され、
前記第１の係止片は、前記ハンドルの前記脚部が前記第２の位置にあるときに、前記ツメ部に係止している前記突出部の前記係止溝に係止する位置に形成され、
前記第２の係止片は、前記ハンドルの前記脚部が前記第１の位置にあるときに、前記突出部の前記係止溝に係止する位置に形成されている、
プロジェクタ。
【発明の詳細な説明】
【技術分野】
【０００１】
本発明は、電子機器の筺体とハンドルとの取り付け構造に関するものである。
【背景技術】
【０００２】
電子機器には、持ち運びの利便性を向上させるためにハンドルが設けられることがある。図１Ａは、ハンドル５０が取り付けられた電子機器の筺体６０の一部を示す斜視図である。図１Ｂは、ハンドル５０の取り付け構造を示す分解斜視図である。【０００３】
図１Ｂに示されているように、ハンドル５０は、把持部５０ａと、把持部５０ａから両端からそれぞれ延びる一対の脚部５０ｂとを有する。把持部５０ａと２つの脚部５０ｂは合成樹脂によって一体成形されている。ハンドル５０は、電子機器の筺体６０の底面側に、脚部５０ｂの長手方向にスライド可能に取り付けられている。具体的には、筺体６０の底面の内側には、対向する側壁６１ａ、６１ｂを有する２つのガイド部６１が形成されている。脚部５０ｂは、筺体６０の底面から立ち上げられている側面に設けられた２つの穴（不図示）から筺体６０の内部にそれぞれ差し込まれている。筺体６０の内部に差し込まれた脚部５０ｂは、ガイド部６１の対向する側壁６１ａ、６１ｂの間に配置されている。脚部５０ｂが配置されたガイド部６１には、ホルダー６２が被せられている。ホルダー６２は、ガイド部６１や筺体６０とは別体の部品であって、ネジ６３によって筺体６０に固定されている。すなわち、脚部５０ｂは、ガイド部６１の側壁６１ａ、６１ｂとホルダー６２とによって囲まれた空間内にスライド可能に保持されている。ハンドル５０を使用するときには、ユーザーは、把持部５０ａを掴んでハンドル５０を筺体６０から引き出す。使用後は、ユーザーは、把持部５０ａを押してハンドル５０を筺体６０内に収納する。【０００４】
本発明と関連する、ハンドルを備えたプロジェクタが特開２００４−２６４６０８号公報や特開２００４−２７２０９３号公報に記載されている。
【発明の概要】
【発明が解決しようとする課題】
【０００５】
図１Ａ、図１Ｂに示すハンドルの取り付け構造では、ハンドル５０を筺体にスライド可能に取り付けるために、筺体６０やガイド部６１とは別体のホルダー６２が必要であった。また、ホルダー６２を筺体６０に固定するためのネジ６３も必要であった。したがって、ハンドル５０を筺体６０にスライド可能に取り付けるために必要な部品の数が多く、コストが高かった。また、組み立て工数も多かった。
【課題を解決するための手段】
【０００６】
本発明に係るハンドルは、把持部と、前記把持部の両端から該把持部の長手方向と直交する方向に延びる一対の脚部と、前記脚部の端部にそれぞれ設けられた突出部と、それぞれの前記突出部に設けられた係止溝とを有する。本発明に係る筺体は、該筺体の側面に設けられた、前記ハンドルの前記脚部を挿入可能な開口部と、該筺体の内部に設けられた、前記開口部から挿入された前記脚部をスライド可能に保持するガイド部とを有する。前記ハンドルの前記脚部は、前記ガイド部に案内されて、前記筺体から引き出された第１の位置と、前記筺体内に収納された第２の位置との間でスライド可能である。前記ガイド部には、ツメ部、弾性変形可能な第１の係止片および弾性変形可能な第２の係止片が前記脚部のスライド方向に沿って一体成形されている。前記ツメ部は、前記ハンドルの前記脚部が前記第１の位置にあるときに前記突出部に係止する位置に形成されている。前記第１の係止片は、前記ハンドルの前記脚部が前記第１の位置にあるときに、前記ツメ部に係止している前記突出部の前記係止溝に係止する位置に形成されている。前記第２の係止片は、前記ハンドルの前記脚部が前記第２の位置にあるときに、前記突出部の前記係止溝に係止する位置に形成されている。
【発明の効果】
【０００７】
本発明によれば、少ない部品点数で、電子機器の筺体にハンドルをスライド可能に取り付けることができる。【０００８】
上記及びそれ以外の本発明の目的、特徴及び利点は、下記の記載及び本発明の一例を示す添付図面の参照によって明らかになる。
【図面の簡単な説明】
【０００９】
【図１Ａ】本発明と関連する、ハンドルの取り付け構造を示す斜視図である。
【図１Ｂ】本発明と関連する、ハンドルの取り付け構造を示す分解斜視図である。
【図２Ａ】本発明の実施形態の一例を示す斜視図である。
【図２Ｂ】本発明の実施形態の一例を示す斜視図である。
【図３Ａ】ロアケースの一部と、ロアケースから取り外されたハンドルとを示す斜視図である。
【図３Ｂ】ロアケースの一部と、ロアケースに取り付けられたハンドルとを示す斜視図である。
【図４Ａ】ガイド部の構造を示す斜視図である。
【図４Ｂ】ガイド部の構造を示す斜視図である。
【図５】使用位置にあるハンドルと、ガイド部との関係を示す断面図である。
【図６】収納位置にあるハンドルと、ガイド部との関係を示す断面図である。
【図７】ハンドルの他例を示す斜視図である。
【発明を実施するための形態】
【００１０】
以下、本発明の電子機器の実施形態の一例について説明する。本実施形態に係る電子機器は、プロジェクタである。図２Ａ、図２Ｂは、本実施形態に係るプロジェクタ１の斜視図である。図２Ａに示すプロジェクタ１では、ハンドル１０が筺体１１内に収納されている。図２Ｂに示すプロジェクタ１では、ハンドル１０が筺体１１から引き出されている。
【００１１】
図２Ａ、図２Ｂに示すように、プロジェクタ１の筺体１１は、上面と側面の上半分を構成する、合成樹脂製のアッパーケース１２と、底面と側面の下半部を構成する、合成樹脂製のロアケース１３とから構成されている。アッパーケース１２とロアケース１３とはネジ（不図示）によって固定されており、分割可能である。筺体１１の上面後方には、複数のボタンを含む操作パネル１４が設けられている。側面の一つには、不図示の投写レンズが嵌め込まれる円形開口部１５が設けられている。以下の説明では、円形開口部１５が設けられている側面を“前面”と呼ぶ。また、前面と反対側の側面を“背面”と呼ぶ。前面から見て左側の側面には、排気口（スリット１６）が設けられている。筺体１１内に設けられている冷却ファンによって、筺体１１内の空気がスリット１６から外部に排気される。上面前方には略長方形の開口部１７が設けられている。開口部１７の内側には、投写レンズのフォーカスや倍率を調整するためのレバー（不図示）が配置される。
【００１２】
ハンドル１０は、筺体１１の前面にスライド可能に設けられている。より正確には、筺体１１の前面を構成しているロアケース１３の一面にスライド可能に設けられている。図２Ａは、ハンドル１０が筺体１１内に収納された状態の斜視図である。図２Ｂは、ハンドル１０が筺体１１から引き出された状態の斜視図である。図３Ａ、図３Ｂは、ロアケース１３の一部とハンドル１０を示す斜視図である。図３Ａは、ハンドル１０がロアケース１３から取り外された状態を示している。図３Ｂは、ハンドル１０がロアケースに取り付けられた状態を示している。
【００１３】
ハンドル１０は、一対の脚部１０ａと、２つの脚部１０ａの端部同士をつなぐ把持部１１ｂとによって門形に形成されている。２つの脚部１０ａと把持部１０ｂとは合成樹脂によって一体成形されている。それぞれの脚部１０ｂの端部には、互いに対向する方向に突出する突出部２０が形成され、各突出部２０の上面には係止溝２１が形成されている。
【００１４】
ロアケース１３の主面内側（以下“内面”）には、ハンドル１０をスライド可能に保持するための一対のガイド部３０が平行に設けられている。ガイド部３０の詳細について図４Ａ、図４Ｂを参照して説明する。各ガイド部３０は、筺体１１の前面下部に設けられた２つの開口部１３ａの近傍から筺体１１の内部に向けてそれぞれ延存している。換言すれば、ガイド部３０は、筺体１１の前面から背面に向けて延在している。ガイド部３０の長手方向一端は、開口部１３ａの一辺に隣接している。
【００１５】
ガイド部３０は、一体成形された下板３０ａ、上板３０ｂ、横板３０ｃおよび終端板３０ｄを有する。下板３０ａは、ロアケース１３の内面上に、該内面と平行に設けられている。上板３０ｂは、下板３０ａの上方に下板３０ａと平行に設けられている。換言すれば、下板３０ａと上板３０ｂは、互いに対向しており、かつ、互いに平行である。横板３０ｃは、ロアケース１３の内面上に、該内面に対して垂直に設けられている。横板３０ｃによって、下板３０ａと上板３０ｂの隣接する長辺同士が接続されている。終端板３０ｄは、横板３０ｃの開口部１３ａに隣接している端部とは反対側の端部から横板３０ｃに対して直角に延在している。換言すれば、終端板３０ｄは、開口部１３ａの開口面と平行であって、開口面と対向している。
【００１６】
各ガイド部３０の横板３０ｃには、一対の係止片（第１の係止片３１、第２の係止片３２）が設けられている。第１の係止片３１は、横板３０ｃの長手方向（ハンドル１０のスライド方向）に関して開口部１３ａ寄りに設けられている。第２の係止片３２は、横板３０ｃの長手方向（ハンドル１０のスライド方向）に関して終端板３０ｄ寄りに設けられている。それぞれの係止片３１、３２は、一端に固定端、他端に自由端を有する。係止片３１、３２は、固定端を支点として弾性変形可能である。係止片３１、３２の自由端には、係止突起３３が形成されている。係止突起３３は、終端板３０ｄの横板３０ｃに対する延在方向と同一方向に突出している。
【００１７】
さらに、横板３０ｃの開口部１３ａに隣接している端部にはツメ部３４が設けられている。ツメ部３４は、第１の係止片３１に近接している端部を固定端、開口部１３ａに近接している端部を自由端として弾性変形可能である。さらに、ツメ部３４の自由端には、係止突起３３と同じ方向に突出している突起３５が形成されている。
【００１８】
次に、図５、図６を参照してハンドル１０の筺体１１への取り付け方法および保持構造について説明する。ハンドル１０を筺体１１に取り付ける際には、ハンドル１０の脚部１０ｂを開口部１３ａから筺体１１の内部に挿入する。すると、脚部１０ｂの突出部２０がツメ部３４の突起３５に当接する。その後、ハンドル１０を筺体１１の内部に押し込むと、突出部２０に押されてツメ部３４が弾性変形し、ツメ部３４の突起３５が内側に変位する。さらにハンドル１０を筺体１１の内部に押し込むと、脚部１０ｂの突出部２０が、内側に変位したツメ部３４の突起３５を乗り越えて、突起３５の背後に進入する。突出部２０が突起３５を乗り越えると、ツメ部３４が元の状態に戻り、突起３５が元の位置に復帰する（図５に示す状態となる）。
【００１９】
ツメ部３４の突起３５が元の位置に復帰すると、突起３５がハンドル１０の突出部２０に係合し、ハンドル１０は、筺体１１から、矢印Ａ方向へ抜けなくなる。以上のようにしてハンドル１０が筺体１１に取り付けられる。また、図５に示すように、第１の係止片３１の係止突起３３は、ツメ部３４の突起３５と脚部１０ｂの突出部２０とが係合する位置にハンドル１０があるときに、突出部２０の係止溝２１に嵌合する位置に設けられている。換言すれば、図５に示す位置にあるハンドル１０は、突出部２０の係止溝２１と第１の係止片３１の係止突起３３との嵌合によって、矢印Ｂ方向へのスライドが一時的に規制される。
【００２０】
図５に示すハンドル１０をさらに筺体１１の内部に押し込むと、第１の係止片３１が弾性変形し、係止突起３３が内側に変位する。さらにハンドル１０を筺体１１の内部に押し込むと、係止溝２１の縁が内側に変位した係止突起３３を乗り越え、係止溝２１と係止突起３３との嵌合が解除される。換言すれば、ハンドル１０は、矢印Ｂ方向へスライド可能となる。スライドの規制が解除されたハンドル１０は、突出部２０がガイド部３０の終端板３０ｄに突き当たるまで矢印Ｂ方向にスライドする（図６に示す位置までスライドする。）。図６に示すうように、第２の係止片３２の係止突起３３は、突出部２０がガイド部３０の終端板３０ｄに突き当たる位置にハンドル１０があるときに、突出部２０の係止溝２１に嵌合する位置に設けられている。換言すれば、図６に示す位置にあるハンドル１０は、突出部２０の係止溝２１と第２の係止片３２の係止突起３３との嵌合によって、矢印Ａ方向へのスライドが一時的に規制される。
【００２１】
図６に示す位置にあるハンドル１０を所定以上の力で矢印Ａ方向に引っ張ると、第２の係止片３２が弾性変形し、係止突起３３が内側に変位する。さらにハンドル１０を引っ張ると、係止溝２１の縁が内側に変位した係止突起３３を乗り越え、係止溝２１と係止突起３３との嵌合が解除される。換言すれば、ハンドル１０の、矢印Ａ方向へスライド可能となる。スライドの規制が解除されたハンドル１０は、図５に示す位置までスライド可能となる。換言すれば、ハンドル１０は、脚部１０ｂの突出部２０がツメ部３４の突起３５に突き当たるまで矢印Ａ方向にスライド可能となる。
【００２２】
以上のように、筺体１１に取り付けられたハンドル１０は、ガイド部３０の下板３０ａと上板３０ｂとによって挟まれて、矢印Ａ方向及び矢印Ｂ方向にスライド可能に保持される。
【００２３】
ここで、図６に示すハンドル１０の位置（第１の位置）は、図２Ａに示すハンドル１０の位置（収納位置）と同じである。また、図５に示すハンドル１０の位置（第２の位置）は、図２Ｂに示すハンドル１０の位置（使用位置）と同じである。すなわち、ユーザーが、収納位置にあるハンドル１０の把持部１０ａを掴んで、ハンドル１０を筺体１１から引き出すと、ハンドル１０は、図６に示す収納位置から図５に示す使用位置までスライドして引き出される。ハンドル１０が使用位置まで引き出されると、ハンドル１０の突出部２０がツメ部３４の突起３５に突き当たる。突出部２０が突起３５に突き当たると、ハンドル１０の矢印Ａ方向へのスライドが規制される。したがって、ユーザーは、ハンドル１０の把持部１０ａを掴んでプロジェクタ１を持ち運ぶことができる。なお、使用位置にあるハンドル１０は、ハンドル１０の突出部２０の係止溝２１と第１の係止片３１の係止突起３３との嵌合によって、図５に示す矢印Ｂ方向へのスライドが規制されている。したがって、図２Ｂに示すハンドル１０が自重でスライドする（下がる）ことはない。
【００２４】
一方、ユーザーが、使用位置にあるハンドル１０の把持部１０ａを押し下げると、ハンドル１０は図５に示す使用位置から図６に示す収納位置までスライドして筺体１１内に収納される。ハンドル１０が収納位置まで筺体１１内に押し込まれると、ハンドル１０の突出部２０がガイド部３０の終端板３０ｄに突き当たる。突出部２０が終端板３０ｄに突き当たると、ハンドル１０の矢印Ｂ方向へのスライドが規制される。なお、収納位置にあるハンドル１０は、ハンドル１０の突出部２０の係止溝２１と第１の係止片３１の係止突起３３との嵌合によって、図６に示す矢印Ａ方向へのスライドが規制されている。したがって、図２Ａに示すハンドル１０を下に向けても、ハンドル１０が自重でスライドすることはない。
【００２５】
なお、図６に示すように、収納位置にあるハンドル１０の把持部１０ａと筺体１１との間に、ユーザーの手を入れる隙間が形成されるように、筺体１１（ロアケース１３）の側面には凹部４０が形成されている。
【００２６】
本実施形態では、ハンドル１０の２つの突出部２０が互いに対向する方向に突出している。換言すれば、２つの突出部２０が内向きに突出している。しかし、図７に示すように、ハンドル１０の２つの突出部２０を互いに逆方向に突出させてもよい。換言すれば、２つの突出部２０を外向きに突出させてもよい。この場合、突出部２０の向きに応じてガイド部３０の向きも適宜変更することはもちろんである。
【００２７】
本明細書では、電子機器がプロジェクタである場合を例にとって本発明の実施形態について説明したが、本発明はプロジェクタ以外の電子機器にも適用可能である。
【図１Ａ】
2010137148.tif 000003
【図１Ｂ】
2010137148.tif 000004
【図２Ａ】
2010137148.tif 000005
【図２Ｂ】
2010137148.tif 000006
【図３Ａ】
2010137148.tif 000007
【図３Ｂ】
2010137148.tif 000008
【図４Ａ】
2010137148.tif 000009
【図４Ｂ】
2010137148.tif 000010
【図５】
2010137148.tif 000011
【図６】
2010137148.tif 000012
【図７】
2010137148.tif 000013
【国際調査報告】
2010137148.tif 000014
2010137148.tif 000015
2010137148.tif 000016
2010137148.tif 000017